(57)【要約】【課題】手の汚れを最小限に抑えることができると共に食品の視認をし易い食品用包装袋及び食品を提供する。【解決手段】菓子袋１は、輪状にされた一枚のビニール製シートの各辺を互いに接着させて３箇所に形成された接着部５と、一方の面に略Ｕ字形に形成されたミシン目４に囲まれた剥離可能領域２と、それ以外の領域である非剥離領域３とで構成されている。一方の面に対向する他方の面は非剥離領域のみからなり、剥離可能領域と非剥離領域との間の境界のミシン目４は、２箇所において菓子袋１の縁を構成する接着部５にまで延びている。また、剥離可能領域２は、非剥離領域３と非剥離領域３との間に位置している。【選択図】図１
2008201420.tif 000002
【特許請求の範囲】
【請求項１】
食品を包装するための食品用包装袋であって、
一方の面が第１の領域と第２の領域からなり、
一方の面に対向する他方の面が第２の領域のみからなり、
前記第１の領域と前記第２の領域との間の境界が切離線であり、同切離線により前記第１の領域が分離可能に構成された
ことを特徴とする食品用包装袋。
【請求項２】
前記切離線が食品用包装袋の縁にまで延びている
ことを特徴とする請求項１に記載の食品用包装袋。
【請求項３】
前記切離線が線状物で構成されていると共に該線状物の端部が突出している
ことを特徴とする請求項１または請求項２に記載の食品用包装袋。
【請求項４】
食品を包装するための食品用包装袋であって、
一方の面が第１の領域と第２の領域からなり、
一方の面に対向する他方の面が第２の領域のみからなり、
前記第１の領域に開口部が形成されていると共に、該開口部が着脱可能に構成された被覆部材で覆われた
ことを特徴とする食品用包装袋。
【請求項５】
食品本体と、該食品本体を包装する食品用包装袋とを備える食品であって、
前記食品用包装袋は、一方の面が第１の領域と第２の領域からなり、
一方の面に対向する他方の面が第２の領域のみからなり、
前記第１の領域と前記第２の領域との間の境界が切離線であり、同切離線により前記第１の領域が分離可能に構成された
ことを特徴とする食品。
【請求項６】
前記切離線が食品用包装袋の縁にまで延びている
ことを特徴とする請求項５に記載の食品。
【請求項７】
前記切離線が線状物で構成されていると共に該線状物の端部が突出している
ことを特徴とする請求項５または請求項６に記載の食品。
【請求項８】
食品本体と、該食品本体を包装する食品用包装袋とを備える食品であって、
前記食品用包装袋は、一方の面が第１の領域と第２の領域からなり、
一方の面に対向する他方の面が第２の領域のみからなり、
前記第１の領域に開口部が形成されていると共に、該開口部が着脱可能に構成された被覆部材で覆われた
ことを特徴とする食品。
【発明の詳細な説明】
【技術分野】
【０００１】
本発明は食品用包装袋及び食品に関する。詳しくは、菓子等を包装するための食品用包装袋及び、菓子等の食品本体と食品用包装袋とを備える食品に係るものである。
【背景技術】
【０００２】
一般に、菓子袋に入れられた菓子を食べる場合、封が開けられた菓子袋に手を入れて菓子を掴み、菓子を菓子袋から取出すが、この際、菓子袋の内面に付着した塩、砂糖、油分等が指先、指の関節部分、手の甲等についてしまうため、指先、指の関節部分、手の甲等が汚れて不快感を覚えていた。
また、複数の種類の菓子が入った菓子袋から菓子を取出す場合、好みの種類の菓子を選んで食べようにも、菓子の種類を確認し難いために、好みの菓子が取り難かった。
【０００３】
そこで、このような不快感を解消するための技術が提案されており、例えば図４に、菓子袋から作り出される菓子つまみと菓子袋を示すが、特許文献１には、図４（ｃ）における線Ａ−Ｂ−Ａ´に沿ってミシン目あるいはそれに類する切取りガイドラインを入れておき、菓子つまみ１０２を菓子袋１０１から切取り、図４（ｂ）に示すような菓子つまみ１０２の接着部１０３を人差指と中指の間に挟むように持ち、支点１０４を親指で支えることによって、菓子をつまむ旨記載されている。
【０００４】
【特許文献１】実開平６−４９３４８号公報
【発明の開示】
【発明が解決しようとする課題】
【０００５】
しかしながら、従来のように、菓子袋を切取って菓子つまみを作り出す方法では、指先の汚れを防ぐことはできるが、例えば袋の底の方にある菓子を取るために、菓子袋内に菓子つまみを持ったまま手を入れると、依然として指の関節部分や手の甲等が菓子袋の内面に付着した塩、砂糖、油分等によって汚れていた。
また、複数の種類の菓子が菓子袋に入っている場合に、菓子袋内を視認して好みの菓子を取出そうにも、菓子袋の開口部から暗い袋内を覗き込まなくてはならず、視認し難かった。
【０００６】
本発明は、以上の点に鑑みて創案されたものであり、手の汚れを最小限に抑えることができると共に食品の視認をし易い食品用包装袋及び食品を提供することを目的とする。
【課題を解決するための手段】
【０００７】
上記の目的を達成するために、本発明の食品用包装袋は、食品を包装するための食品用包装袋であって、一方の面が第１の領域と第２の領域からなり、一方の面に対向する他方の面が第２の領域のみからなり、前記第１の領域と前記第２の領域との間の境界が切離線であり、同切離線により前記第１の領域が分離可能に構成されたことを特徴とする。
【０００８】
ここで、第１の領域と第２の領域との間の境界が切離線であり、切離線により第１の領域が分離可能に構成されたことによって、切離線に沿って第１の領域と第２の領域の間の接続を切離し、第１の領域があった袋の表面に開口部を形成することができるため、袋の縁を開く場合よりも袋と手の接触面積が小さいことにより袋内の食品を手で取出しやすく、更に他方の面は第２の領域のみからなって切離線がないため、袋内の食品を開口部が形成された位置まで移動させて食品を見ることができる。
【０００９】
また、本発明の食品用包装袋において、切離線が食品用包装袋の縁にまで延びている場合、食品用包装袋の縁も取外すことができて、袋と手の接触面積が更に小さくなり袋内の食品を手で取出しやすくなる。
【００１０】
また、本発明の食品用包装袋において、切離線が線状物で構成されていると共に線状物の端部が突出している場合、突出した線状物の端部をつまんで線状物を引っ張り、切離線に沿って第１の領域と第２の領域の間の接続を切離し易くなる。
【００１１】
また、上記の目的を達成するために、本発明の食品用包装袋は、食品を包装するための食品用包装袋であって、一方の面が第１の領域と第２の領域からなり、一方の面に対向する他方の面が第２の領域のみからなり、前記第１の領域に開口部が形成されていると共に、該開口部が着脱可能に構成された被覆部材で覆われたことを特徴とする。
【００１２】
ここで、第１の領域に開口部が形成されていると共に、開口部が着脱可能に構成された被覆部材で覆われたことによって、被覆部材を剥がすことで開口部が露出するため、袋の縁を開く場合よりも袋と手の接触面積が小さいことにより袋内の食品を手で取出しやすく、更に他方の面は第２の領域のみからなって開口部が形成されていないため、袋内の食品を開口部の位置まで移動させて食品を見ることができる。また、被覆部材が着脱可能に構成されているので、例えば被覆部材を粘着シールとして何度でも開口部を覆ったり開口部から剥がしたりでき、途中で食べ止んでも開口部を被覆部材で再び覆い、食品が袋内にある状態で保存できる。
【００１３】
また、上記の目的を達成するために、本発明の食品は、食品本体と、該食品本体を包装する食品用包装袋とを備える食品であって、前記食品用包装袋は、一方の面が第１の領域と第２の領域からなり、一方の面に対向する他方の面が第２の領域のみからなり、前記第１の領域と前記第２の領域との間の境界が切離線であり、同切離線により前記第１の領域が分離可能に構成されたことを特徴とする。
【００１４】
ここで、第１の領域と第２の領域との間の境界が切離線であり、切離線により第１の領域が分離可能に構成されたことによって、切離線に沿って第１の領域と第２の領域の間の接続を切離し、第１の領域があった袋の表面に開口部を形成することができるため、袋の縁を開く場合よりも袋と手の接触面積が小さいことにより袋内の食品を手で取出しやすく、更に他方の面は第２の領域のみからなって切離線がないため、袋内の食品を開口部が形成された位置まで移動させて食品を見ることができる。
【００１５】
また、上記の目的を達成するために、本発明の食品は、食品本体と、該食品本体を包装する食品用包装袋とを備える食品であって、前記食品用包装袋は、一方の面が第１の領域と第２の領域からなり、一方の面に対向する他方の面が第２の領域のみからなり、前記第１の領域に開口部が形成されていると共に、該開口部が着脱可能に構成された被覆部材で覆われたことを特徴とする。
【００１６】
ここで、第１の領域に開口部が形成されていると共に、開口部が着脱可能に構成された被覆部材で覆われたことによって、被覆部材を剥がすことで開口部が露出するため、袋の縁を開く場合よりも袋と手の接触面積が小さいことにより袋内の食品を手で取出しやすく、更に他方の面は第２の領域のみからなって開口部が形成されていないため、袋内の食品を開口部の位置まで移動させて食品を見ることができる。また、被覆部材が着脱可能に構成されているので、例えば被覆部材を粘着シールとして何度でも開口部を覆ったり開口部から剥がしたりでき、途中で食べ止んでも開口部を被覆部材で再び覆い、食品が袋内にある状態で保存できる。
【発明の効果】
【００１７】
本発明に係る食品用包装袋によって、手の汚れを最小限に抑えることができると共に食品の視認をし易くなり、また、食品を手で取出しやすく、摘みやすくなる。
本発明に係る食品によって、手の汚れを最小限に抑えることができると共に食品の視認をし易くなり、また、食品を手で取出しやすく、摘みやすくなる。
【発明を実施するための最良の形態】
【００１８】
以下、本発明の実施の形態について図面を参照しながら説明し、本発明の理解に供する。
図１は、本発明を適用した食品用包装袋の第１の構成例を説明する概略図である。図１（ａ）に示すように、菓子袋（食品用包装袋の一例である。）１は、輪状にされた一枚のビニール製シートの各辺を互いに接着させて３箇所に形成された接着部５と、一方の面に略Ｕ字形に形成されたミシン目（切離線の一例である。）４に囲まれた剥離可能領域（第１の領域の一例である。）２と、それ以外の領域である非剥離領域（第２の領域の一例である。）３とで構成されている。また、一方の面に対向する他方の面（図示せず。）は非剥離領域のみからなり、剥離可能領域と非剥離領域との間の境界のミシン目４は、２箇所において菓子袋１の縁を構成する接着部５にまで延びている。また、剥離可能領域２は、非剥離領域３と非剥離領域３との間に位置している。なお、３箇所の接着部のうち、菓子袋１の両端を構成する接着部は図示しているが、菓子袋１の他方の面の略中央領域に長さ方向に形成された接着部は図示していない。
また、図１（ｂ）に示すように、２箇所においてミシン目４が菓子袋１の縁を構成する接着部５にまで延びているので、菓子袋１の縁を構成する接着部５の一部を含んだ剥離可能領域２が非剥離領域３から切離されて完全に取外され、菓子袋１の片面に、菓子袋１の縁へつながった開口部が形成されて、菓子袋１内に収納された菓子（食品本体）６が露出する。
また、剥離可能領域２は、非剥離領域３と非剥離領域３との間に位置しているので、剥離可能領域２が完全に取外された後には、剥離可能領域２を挟んで位置していた非剥離領域３が開口部の両側に残り、菓子袋１内を滑って移動する菓子６をガイドする役割を果たす。
【００１９】
ここで、ミシン目は略Ｕ字形に形成されているが、切離線により剥離可能領域が分離可能に構成されていれば、必ずしも略Ｕ字形でなくてもよく、例えばミシン目は略円形に形成されていてもよいし、また、必ずしも剥離可能領域を完全に取外すことができるようにミシン目を形成しなくてもよく、例えばミシン目を、接着部と接着部の間の縁まで延びる略Ｕ字形に形成して、蓋のように開閉させてもよい。
また、ミシン目を形成する場合、袋表面を貫通させず凹部が表面厚さの半分まで窪んだ状態となるように形成すると袋内の食品が外気に触れず好ましい。
【００２０】
また、切離線により剥離可能領域が分離可能に構成されていれば、必ずしも切離線が菓子袋の縁にまで延びていなくてもよい。
また、剥離可能領域は必ずしも非剥離領域と非剥離領域との間に位置していなくてもよい。
また、剥離可能領域は必ずしも一つだけでなくてもよく、食品用包装袋の一方の面の複数個所に設けてもよい。
また、本発明を適用した食品用包装袋に包装される食品としては、例えば、固形状、ゲル状、液体状の食品が挙げられ、その食品が個々に包装されていても非包装であってもよく、具体的には例えば、ポテトチップ、ポップコーン、ビスケット、クラッカー等のスナック菓子、ピーナッツの豆類、おかき、パン、ゼリー、グミ、キャンディー、ドライフルーツ、即席麺、茹で麺、レトルト食品等が挙げられる。
【００２１】
また、食品を包装できる袋であれば、必ずしも本発明の食品用包装袋はビニール製でなくてもよく、例えば和紙や織布を用いて食品用包装袋を製造してもよい。
また、本発明の食品用包装袋の外側表面には、切離線付近に開封方法や開封部位を表示するため「ここからお開け下さい」等の説明文や開封方向を示す矢印等を予め印刷しておいてもよい。
【００２２】
図２は、本発明を適用した食品用包装袋の第２の構成例を説明する概略図である。図２（ａ）に示すように、菓子袋１は、輪状にされた一枚のビニール製シートの各辺を互いに接着させて３箇所に形成された接着部５と、一方の面に略Ｕ字形に配置されたビニール糸（線状物の一例である。）７で構成された切離線によって囲まれた剥離可能領域（第１の領域の一例である。）２と、それ以外の領域である非剥離領域（第２の領域の一例である。）３とで構成されている。また、一方の面に対向する他方の面（図示せず。）は非剥離領域のみからなり、剥離可能領域と非剥離領域との間の境界のビニール糸７は、２箇所において菓子袋１の縁を構成する接着部５にまで延びている。また、剥離可能領域２は、非剥離領域３と非剥離領域３との間に位置している。また、ビニール糸７の一端には扁平形のつまみ部６が設けられており、つまみ部６はつまみ易いように突出している。
また、図２（ｂ）に示すように、２箇所においてビニール糸７が菓子袋１の縁を構成する接着部５にまで延びているので、つまみ部６をつまんで引っ張ることによってビニール糸７が引き離されると共に、菓子袋１の縁を構成する接着部５の一部を含んだ剥離可能領域２が非剥離領域３から切離され、菓子袋１の片面に、菓子袋１の縁へつながった開口部が形成されて、菓子袋１内に収納された菓子が露出する。
【００２３】
また、菓子袋の略中央領域に長さ方向に形成された接着部を解離させて開封することで、開封面積を広くして、手の汚れを最小限に抑え、視認し易くすることも考えられるが、複数の菓子を食べるとき等は手に油分がつき、菓子袋を摘み難くなっているため開封し難い。
【００２４】
図３は、本発明を適用した食品用包装袋の第３の構成例を説明する概略図である。菓子袋１は、輪状にされた一枚のビニール製シートの各辺を互いに接着させて３箇所に形成された接着部５と、一方の面に略Ｕ字形に形成された開口部（第１の領域）９を覆う着脱可能な接着性の被覆シール８と、第１の領域以外の領域である非剥離領域（第２の領域の一例である。）３とで構成されている。また、一方の面に対向する他方の面（図示せず。）は非剥離領域のみからなる。
また、第１の領域として開口部９が形成されており、開口部９が接着性の被覆シール（被覆部材の一例である。）８で覆われているので、被覆シール８を剥がすことによって、菓子袋１の片面に、開口部９が現れ、菓子袋１内に収納された菓子が露出する。
【００２５】
このように、本発明の食品用包装袋は、第１の領域（剥離可能領域）と第２の領域（非剥離領域）との間の境界が切離線（ミシン目）により第１の領域が分離可能に構成されているので、切離線に沿って第１の領域と第２の領域の間の接続を切離し、第１の領域があった袋の表面に開口部を形成することができるため、袋の縁を開く場合よりも袋と手の接触面積が小さいことにより袋内の食品を手で取出しやすく、更に他方の面は第２の領域のみからなって切離線がないため、袋内の食品を開口部が形成された位置まで移動させて食品を見ることができる。よって、指の関節部分や手の甲等が汚れることを防止して手の汚れを最小限に抑えることができると共に、食品を視認し易くなる。
【００２６】
また、切離線が食品用包装袋の縁にまで延びているので、食品用包装袋の縁も取外すことができて、袋と手の接触面積が更に小さくなり袋内の食品を手で取出しやすく、また、食品を手で摘みやすくなる。
【００２７】
また、切離線が線状物（ビニール糸）で構成されていると共に線状物の端部（つまみ部）が突出しているので、突出した線状物の端部をつまんで線状物を引っ張り、切離線に沿って第１の領域と第２の領域の間の接続を切離し易い。
【００２８】
また、開口部が形成されていると共に、開口部が着脱可能に構成された被覆部材（被覆シール）で覆われているので、被覆部材を剥がすことで開口部が露出するため、袋の縁を開く場合よりも袋と手の接触面積が小さいことにより袋内の食品を手で取出しやすく、更に他方の面は第２の領域のみからなって開口部が形成されていないため、袋内の食品を開口部の位置まで移動させて食品を見ることができる。また、被覆部材が粘着性の被覆シールであるので何度でも開口部を覆ったり開口部から剥がしたりでき、途中で食べ止んでも開口部を被覆部材で再び覆い、食品が袋内にある状態で保存できる。
【図面の簡単な説明】
【００２９】
【図１】本発明を適用した食品用包装袋の第１の構成例を説明する概略図である。
【図２】本発明を適用した食品用包装袋の第２の構成例を説明する概略図である。
【図３】本発明を適用した食品用包装袋の第３の構成例を説明する概略図である。
【図４】菓子袋から作り出される菓子つまみと菓子袋を示す図である。
【符号の説明】
【００３０】
１    菓子袋
２    剥離可能領域
３    非剥離領域
４    ミシン目
５    接着部
６    菓子
７    ビニール糸
８    被覆シール
９    開口部
【図１】
2008201420.tif 000003
【図２】
2008201420.tif 000004
【図３】
2008201420.tif 000005
【図４】
2008201420.tif 000006